(57)【特許請求の範囲】
【請求項１】
キャップ本体に対してクリップ片を固定する筆記具のクリップ取付構造において、
前記クリップ片に形成された内部空間を有する固定筒と、前記固定筒の外周面に形成された係止突起と、
前記キャップ本体に形成され、前記クリップ片の固定筒が挿入される筒挿入孔と、前記筒挿入孔の内周面に形成され、前記固定筒の外周面に形成された係止突起が係止される係止溝と、筒挿入孔の内部に形成され前記固定筒の内部空間に挿入される凸部とを具備し、
前記筒挿入孔の内部に形成された凸部が、固定筒の内部空間に挿入されると共に、前記固定筒の外周面に形成された係止突起が、前記筒挿入孔の内周面に形成した前記係止溝に係止されることを特徴とする筆記具のクリップ取付構造。
【請求項２】
前記凸部の上面が、前記係止溝が形成されている位置よりも深く、前記固定筒の内部空間に挿入されることを特徴とする請求項１に記載された筆記具のクリップ取付構造。
【請求項３】
前記固定筒に形成された内部空間は円柱状に形成されると共に、前記キャップ本体の筒挿入孔の内部に形成された凸部は円柱状に形成され、かつ凸部の外径は前記固定筒の内部空間の内径と同一寸法、あるいは前記固定筒の内部空間の内径より大きな径をもって形成されていることを特徴とする請求項１または請求項２に記載された筆記具のクリップ取付構造。
【発明の詳細な説明】
【０００１】
【発明の属する技術分野】
本発明は、筆記具のクリップ取付構造に関するものであり、詳しくは、筆記具のキャップに取り付けられたクリップ片が、キャップから外れ難いクリップ取付構造に関するものである。
【０００２】
【従来の技術】
筆記具にとって、キャップに取り付けられたクリップは、前記筆記具を携帯するために、必須のものである。また前記クリップはデザイン上も極めて重要な意義を有している。
更に、前記クリップはキャップ本体部分の外形を大きくする機能を有している。すなわち、キャップ本体部分の外形が小径で、しかもクリップが取り付けられていない場合には、幼児が誤ってキャツプを飲み込んでしまう場合があるが、このときクリップが取り付けられていれば、相対的にキャップ本体部分の外形が大径となるため、幼児が誤ってキャツプを飲み込んでしまう事故を防止することができる。このようにクリップは、キャップ本体に取り付けられることにより、キャップの外形を相対的に大きくし、誤飲防止を図るという機能を有している。
以上のように、キャップ本体に取り付けられたクリップは、種々の機能を備えているが、生産面から見れば、部品点数が少なく、しかも取付構造が簡単であって、組み付け作業が容易であることが要求される。
【０００３】
以下、従来の筆記具のクリップ取付構造を図６乃び図７に基づいて説明する。
なお、図６は図７の一部拡大図である。
図に示すように、筆記具のキャップ１はクリップ片２及びキャップ本体３から構成され、前記クリップ片２の一端には、ボール部２１が形成され、屈曲部２２を介した他端にはキャップ本体３の上端部に係合する係合部２３が形成されている。また、前記屈曲部２２の近傍には筒状の固定筒２４が形成され、この固定筒２４の外周面には係止突起２４ａが形成されている。更に、クリップ片２の屈曲部近傍の縁部には、クリップ片２を補強するための補強枠２５が形成されている。
【０００４】
また、キャップ本体３には、図７に示すように、その端面３ａ乃至外周面の一部に連続した、クリップ片２の係合部２３及び補強枠２５が係合する係合溝３１が形成されている。
また、キャップ本体３の外周面３ｂの一部に形成された係合溝３１には、クリップ片２に形成した固定筒２４が挿入される筒挿入孔３２が形成され、この筒挿入孔３２の内周面には、固定筒２４に形成した係止突起２４ａを係止する係止溝３２ａが形成されている。
【０００５】
このように構成されたキャップ本体３にクリップ片２と取り付ける場合には、クリップ片２の係合部２３をキャップ本体３の端面３ａ側の係合溝３１に係合させつつ、固定筒２４を筒挿入孔３２に挿入し、固定筒２４の外周面に形成した係止突起２４ａを筒挿入孔３２の内周面に形成した係止溝３２ａに係止する。これによりクリップ片２はキャップ本体３に対して固定され、組立てが終了する。
【０００６】
【発明が解決しようとする課題】
しかし、上述のような筆記具のクリップ取付構造の場合、クリップの保持力は、固定筒２４の外周面に形成された係止突起２４ａが、筒挿入孔３２の内周面に形成した係止溝３２ａに係止されることによって生ずるため、クリップ片２は引抜力（クリップ片２をキャップ本体３から引き離そうとする外力、図７における矢印Ａの外力）に対して弱く、キャップ本体３から外れ易いという技術的課題があった。
また、クリップ片２とキャップ本体３の間に所定厚さ以上のノ−ト、ポケット等を挟むと、図７に示すように、クリップ片２には点Ｃを支点として矢印方向、即ち、反時計回りに回転するような外力Ｂが作用するため、点Ｃ部分に力が集中し、前記Ｃ部分に変形あるいは破損が生ずる。その結果、筒挿入孔３２の内径が拡張し、クリップ片２の保持力が弱まり、クリップ片２がキャップ本体３から外れ易くなるという技術的課題があった。
このような課題を有するクリップの取付構造においては、クリップ片２が万一外れた場合には、前記したようにキャップ本体の外径が相対的に小さくなるため、幼児が誤ってキャツプを飲み込んでしまう危険がある。
【０００７】
そこで、本発明は、取付構造が簡単であって、また組み付け作業が容易であり、しかもクリップ片がキャップ本体から外れにくく、幼児の誤飲を防止する筆記具のクリップ取付構造を提供することを目的とする。
【０００８】
【課題を解決するための手段】
上記課題を解決するためになされた本発明は、キャップ本体に対してクリップ片を固定する筆記具のクリップ取付構造において、前記クリップ片に形成された内部空間を有する固定筒と、前記固定筒の外周面に形成された係止突起と、前記キャップ本体に形成され、前記クリップ片の固定筒が挿入される筒挿入孔と、前記筒挿入孔の内周面に形成され、前記固定筒の外周面に形成された係止突起が係止される係止溝と、筒挿入孔の内部に形成され前記固定筒の内部空間に挿入される凸部とを具備し、前記筒挿入孔の内部に形成された凸部が、固定筒の内部空間に挿入されると共に、前記固定筒の外周面に形成された係止突起が、前記筒挿入孔の内周面に形成した前記係止溝に係止されることを基本的構成としている。
【０００９】
ここで、前記凸部の上面が、前記係止溝が形成されている位置よりも深く、前記固定筒の内部空間に挿入されることが望ましく、また前記固定筒に形成された内部空間は円柱状に形成されると共に、前記キャップ本体の筒挿入孔の内部に形成された凸部は円柱状に形成され、かつ凸部の外径は前記固定筒の内部空間の内径と同一寸法、あるいは前記固定筒の内部空間の内径より大きな径をもって形成されていることが望ましい。
【００１０】
本発明は、上記のような構成が採用されているため、クリップ片に対して、引抜力（クリップ片をキャップ本体から引き離そうとする外力、図７における矢印Ａの外力）が作用し、固定筒が変形しよとするとその内部空間に配された凸部によってその変形が阻止される。その結果、固定筒の外周面に形成された係止突起は、筒挿入孔の内周面に形成した係止溝に係止された状態を維持することができ、クリップ片はキャップ本体から外れることはない。
前記凸部の上面が、前記係止溝が形成されている位置よりも深く、前記固定筒の内部空間に挿入される場合には、固定筒の外周面に形成された係止突起は、筒挿入孔の内周面に形成した係止溝から、より外れにくく、係止された状態を維持することができる。
【００１１】
更に、固定筒に形成された内部空間を円柱状に形成すると共に、前記キャップ本体の筒挿入孔の内部に形成された凸部を円柱状に形成し、かつ凸部の外径を前記内部空間の内径と同一寸法、あるいは前記内部空間の内径より大きな径をもって形成した場合には、前記固定筒と凸部が嵌合状態になるため、クリップ片の引抜力に対して、より抵抗力を有することになる。
特に、クリップ片とキャップ本体の間に所定厚さ以上のノ−ト、ポケット等を挟み、図７に示すような反時計回りに回転するような外力Ｂが作用した場合にも、従来のようにＣ部分に力が集中することはなく、その結果、筒挿入孔の内径が拡張し、クリップ片の保持力が弱まるという弊害を防止することができる。
以上のように、本発明にかかる筆記具のクリップの取付構造は、クリップ片がキャップ本体から外れにくいため、幼児が誤ってキャツプを飲み込んでしまう危険がなくなる。しかも、生産面から見ても、部品点数が少なく、しかも取付構造が簡単であって、組み付け作業が容易である。
【００１２】
【発明の実施の形態】
以下、本発明にかかる筆記具のクリップ取付構造を図１乃至図５を参照して詳しく説明する。なお、図１は筆記具のクリップ取付構造を示す一部断面図であり、また図２は図１の一部拡大図である。図３はクリップ片の側面図であり、図４は、クリップ片の背面図である。図５はキャップ本体を示す斜視図である。また図中、従来の筆記具のクリップ取付構造の部材と同一部材は同一符号を付する。
【００１３】
図１乃至図４に示すように、従来のクリップ片２と同様に、クリップ片２の一端には、ボール部２１が形成され、屈曲部２２を介した他端にはキャップ本体３の上端部に係合する係合部２３が形成されている。また、前記屈曲部２２の近傍には筒状の固定筒２４が形成され、この固定筒２４の外周面には係止突起２４ａが形成されている。更に、クリップ片２の上端及び屈曲部近傍の縁部には、クリップ片２を補強するための補強枠２５が形成されている。
【００１４】
また、キャップ本体３には図５に示すように、端面３ａと外周面の一部に連続した、クリップ片２の係合部２３及び補強枠２５が係合する係合溝３１が形成されている。また、キャップ本体３の外周面３ｂの一部に形成された係合溝３１には、クリップ片２に形成した固定筒２４が挿入される筒挿入孔３２が形成され、この筒挿入孔３２の内周面には、従来のキャップ本体の場合と同様、固定筒２４に形成した係止突起２４ａを係止する係止溝３２ａが形成されている。
【００１５】
更に、キャップ本体３には、筒挿入孔３２の内部に固定筒２４の内部空間２４ｂに挿入される円柱状の凸部３２ｂが形成されている。このように、キャップ本体３に筒挿入孔３２に固定筒２４の内部空間２４ｂに挿入される円柱状の凸部３２ｂが形成されていることが本発明の特徴である。
本発明にかかる筆記具のクリップ取付構造では、円柱状の凸部３２ｂが形成されているため、クリップ片２に対して、引抜力（クリップ片２をキャップ本体３から引き離そうとする外力、図７における矢印Ａの外力）が作用し、固定筒２４が変形しよとすると、その内部空間２４ｂに配された凸部３２ｂによって、その変形が阻止される。その結果、固定筒２４の外周面に形成された係止突起２４ａは、筒挿入孔３２の内周面に形成した係止溝３２ａに係止された状態を維持することができ、クリップ片２はキャップ本体３から外れることはない。
【００１６】
この円柱状の凸部３２ｂの上面は、係止溝３２ａよりも高い位置Ｈにあることが望ましい。すなわち、円柱状の凸部３２ｂの上面は係止溝３２ａよりも深く、内部空間２４ｂに挿入されるように構成されるのが望ましい。
このように前記凸部３２ｂの上面が、前記係止溝３２ａが形成されている位置よりも深く、前記固定筒２４の内部空間２４ｂに挿入される場合には、固定筒２４の変形をより防止することができる。そのため、固定筒２４の外周面に形成された係止突起２４ａは、筒挿入孔３２の内周面に形成した係止溝３２ａから、より外れにくく、係止された状態を維持することができる。
【００１７】
更に、固定筒２４に形成された内部空間２４ｂを円柱状に形成すると共に、前記キャップ本体３の筒挿入孔３２の内部に形成され凸部３２ｂを円柱状に形成し、かつ凸部３２ｂの外径を前記内部空間２４ｂの内径と同一寸法、あるいは前記内部空間２４ｂの内径より大きな径をもって形成するのが好ましい。このように構成した場合には、前記固定筒２４と凸部３２ｂが嵌合状態になるため、クリップ片２の引抜力に対して、より抵抗力を有することになる。
特に、クリップ片２とキャップ本体３の間に所定厚さ以上のノ−ト、ポケット等を挟み、図７に示すような反時計回りに回転するような外力Ｂが作用した場合にも、従来のようにＣ部分に力が集中することはなく、その結果、筒挿入孔３２の内径が拡張し、クリップ片２の保持力が弱まるという弊害を防止することができる。
【００１８】
次に、このように構成されたクリップの取付構造において、キャップ本体３にクリップ片２を取り付ける場合について説明すると、まずクリップ片２の係合部２３をキャップ本体３の端面３ａの係合溝３１に係合させつつ、固定筒２４を筒挿入孔３２に挿入する。
このとき、筒挿入孔３２の内部には凸部３２ｂが形成されているため、この凸部３２ｂが固定筒２４の内部空間内２４ｂに侵入する。そして最終的に、固定筒２４の外周面に形成した係止突起２４ａが、筒挿入孔３２の内周面に形成した係止溝３２ａにより係止され、キャップ本体３にクリップ片２は固定され、組立てが終了する。
【００１９】
この筆記具のクリップ取付構造では、筒挿入孔３２の内部の凸部３２ｂが固定筒２４の内部空間２４ｂに配されることにより、固定筒２４の変形が防止される。
特に、凸部３２ｂの外径を固定筒２４の内部空間の内径と同一寸法、あるいは前記内部空間の内径より大きな径をもって形成した場合には、固定筒２４の内径を拡張しながら、凸部３２ｂを挿入することになるため（嵌合状態となるため）、固定筒２４の外周面に形成した係止突起２４ａと筒挿入孔３２の内周面に形成した係止溝３２ａとの係止が強固なものとなり、クリップ片はキャップ本体３から、より外れにくくなる。
【００２０】
また、クリップとキャップ本体の間に、所定の厚さ以上のノ−ト、ポケット等を挟み、筒挿入孔３２に変形あるいは破損が生じた場合であっても、筒挿入孔３２の内部の凸部３２ｂが固定筒２４の内部空間（固定筒２４の内壁）と嵌合しているため、クリップ片２のキャップ本体３からの離脱を防止できる。
更に、筒挿入孔３２の内部の凸部３２ｂが固定筒２４の内部空間２４ｂ（固定筒２４の内壁）と嵌合しているため、クリップに所定の厚さ以上のノ−ト等を挟んだ場合であっても、従来のように点Ｃのみに力がかかることなく分散され、筒挿入孔３２に生じる変形あるいは破損を防止することができる。
【００２１】
【実施例】
本発明の実施例として、上記した構成からなるクリップ取付構造のクリップ片を図７に示すような矢印方向Ｂへ引張るような力、即ち、クリップに所定の厚さ以上の厚紙等を挟んだ状態となるような力を加え、徐々にその力を増大させた。なお、固定筒に形成された内部空間を円柱状に形成すると共に、前記キャップ本体の筒挿入孔の内部に形成され凸部を円柱状に形成し、かつ凸部の外径を前記内部空間の内径と同一寸法とした。また、円柱状の凸部の上面は、係止溝よりも１ｍｍ高い位置に配置されるように構成した。
この結果、外力が３．１ｋｇ・ｆとなった時点でキャップ本体からクリップ片が外れた。
一方、比較例として、従来技術で説明したクリップ取付構造のクリップに、前記実施例と同様な外力を作用させ試験を行った。
この結果、荷重が１．８ｋｇ・ｆとなった時点でキャップ本体からクリップ片が外れた。
【００２２】
以上の実施例からも明らかなように、本発明は従来のクリップ取付構造の約２倍近い外力が加わるまでクリップ片がキャップ本体から外れないことが判明した。すなわち、本発明のクリップ取付構造によれば、筒挿入孔の内部の凸部が固定筒の内部空間に配置されるため、固定筒の変形が防止され、固定筒の外周面に形成した係止突起と筒挿入孔の内周面に形成した係止溝との係止状態が維持されること理解される。
【００２３】
【発明の効果】
以上のように、請求項１にかかる本発明は、クリップ片に対して、引抜力が作用し、固定筒が変形しよとするとその内部空間に配された凸部によって、その変形が阻止される。その結果、固定筒の外周面に形成された係止突起は、筒挿入孔の内周面に形成した係止溝に係止された状態を維持することができ、クリップ片のキャップ本体からの離脱を防止することができる。
また請求項２にかかる本発明は、前記凸部の上面が、前記係止溝が形成されている位置よりも深く、前記固定筒の内部空間に挿入されるように構成されているため、固定筒の外周面に形成された係止突起は、筒挿入孔の内周面に形成した係止溝から、より外れにくく、係止された状態を維持することができる。
【００２４】
更に、請求項３にかかる本発明は、固定筒に形成された内部空間を円柱状に形成すると共に、前記キャップ本体の筒挿入孔の内部に形成された凸部を円柱状に形成し、かつ凸部の外径を前記内部空間の内径と同一寸法、あるいは前記内部空間の内径より大きな径をもって形成されているため、前記固定筒と凸部が嵌合状態になるため、クリップ片の引抜力に対して、より抵抗力を有することになる。特に、クリップ片とキャップ本体の間に所定厚さ以上のノ−ト、ポケット等を挟み、反時計回りに回転するような外力が作用した場合にも、従来のように筒挿入孔の内径が拡張し、クリップ片の保持力が弱まるという弊害を防止することができる。
【００２５】
以上のように、本発明にかかる筆記具のクリップの取付構造は、クリップ片がキャップ本体から外れにくいため、幼児が誤ってキャツプを飲み込んでしまう危険がなくなる。
しかも、生産面から見ても、部品点数が少なく、しかも取付構造が簡単であって、組み付け作業が容易である。
【図面の簡単な説明】
【図１】本発明にかかる筆記具のクリップ取付構造を示す一部断面図である。
【図２】図１に示した断面図の拡大図である。
【図３】本発明にかかる筆記具のクリップ取付構造に用いられるクリップ片の側面図である。
【図４】図３に示されたクリップ片の背面図である。
【図５】本発明にかかる筆記具のクリップ取付構造に用いられるキャップ本体の斜視図である。
【図６】従来の筆記具のクリップ取付構造を示す一部断面図である。
【図７】図６に示した断面図の拡大図である。
【符号の説明】
１      キャップ
２      クリップ片
２１    ボール部
２２    屈曲部
２３    係合部
２４    固定筒
２４ａ  係止突起
２４ｂ  内部空間
２５    補強枠
３      キャップ本体
３ａ    端面
３ｂ    外周面
３１    係合溝
３２    筒挿入孔
３２ａ  係止溝
３２ｂ  凸部
【図１】
0003815587.tif 000002
【図２】
0003815587.tif 000003
【図３】
0003815587.tif 000004
【図４】
0003815587.tif 000005
【図５】
0003815587.tif 000006
【図６】
0003815587.tif 000007
【図７】
0003815587.tif 000008